(57)【要約】      （修正有）【課題】チャージ残高が基準金額未満に変更されると、スマートカード内チャージ金額に所定の自動チャージ金額を加算して更新させるシステム、方法を提供する。【解決手段】携帯電話に内蔵されたスマートカードのチャージ金額自動更新システムが、端末機識別データ、モバイルチャージ要請情報を生成し、チャージ申請承認内訳ＳＭＳを受信してモバイルチャージ完了情報を生成するユーザー端末機と、自動チャージサーバーとを含む。ユーザー端末機は、スマートカード内のチャージ残高が、自動チャージ基準金額未満に変更されると、自動チャージ要請ＳＭＳを生成し、自動チャージ承認内訳ＳＭＳを受信してモバイルチャージ完了情報を更新する。自動チャージサーバーは、自動チャージ要請ＳＭＳを受信して、モバイルチャージ要請情報に含まれたチャージ金額から自動チャージ金額を差し引き、チャージユーザー情報を更新し、自動チャージ承認内訳ＳＭＳを生成する。【選択図】図１
2010027055.tif 000002
【特許請求の範囲】
【請求項１】
携帯電話に内蔵されたスマートカードのチャージ金額自動更新システムにおいて、
ユーザーから入力されるチャージ要請情報に基づいて端末機識別データを生成し、前記チャージ要請情報、前記端末機識別データ、および既定のスマートカード識別情報を含むモバイルチャージ要請情報を生成し、チャージ申請承認内訳ＳＭＳを受信してモバイルチャージ完了情報を生成するユーザー端末機と、
前記端末機識別データを読み出してユーザー情報を生成し、前記ユーザーのチャージ前払金決済情報を生成してチャージ前払金を送金し、チャージ申請承認内訳ＳＭＳを受信して前記チャージ前払金決済情報を更新する金融サーバーと、
前記端末機識別データおよび前記スマートカード識別情報を読み出してチャージユーザー情報を生成し、前記チャージ要請情報を読み出してチャージ前払金の入金要請情報を生成し、前記チャージ前払金の入金を確認して、前記チャージ前払金の入金要請情報に含まれたチャージ金額との対応状態に応じて前記チャージユーザー情報を更新するとともにチャージ申請承認内訳ＳＭＳを生成する自動チャージサーバーとを含んでなり、
前記ユーザー端末機は、スマートカード内に格納されたチャージ残高が、前記チャージ要請情報に含まれた自動チャージ基準金額未満に変更されると、自動チャージ要請ＳＭＳを生成し、自動チャージ承認内訳ＳＭＳを受信して前記モバイルチャージ完了情報を更新し、
前記自動チャージサーバーは、前記自動チャージ要請ＳＭＳを受信して、前記モバイルチャージ要請情報に含まれたチャージ金額から自動チャージ金額を差し引くとともに前記チャージユーザー情報を更新し、自動チャージ承認内訳ＳＭＳを生成することを特徴とする、携帯電話に内蔵されたスマートカードのチャージ金額自動更新システム。
【請求項２】
前記スマートカードは、スマートカード識別番号、端末機識別データ、チャージ残高、自動チャージ基準金額情報、およびモバイルチャージ完了情報を格納することを特徴とする、請求項１に記載の携帯電話に内蔵されたスマートカードのチャージ金額自動更新システム。
【請求項３】
前記スマートカードは、
前記ユーザー端末機に挿入されるＵＳＩＭ(Universal  Subscriber  Identity  Module)を内蔵したものであって、携帯電話およびＰＤＡを含む移動通信が可能な端末機のいずれか一つに挿入されるが、
前記チャージ残高が自動チャージ基準金額未満に変更されることを感知することを特徴とする、請求項１に記載の携帯電話に内蔵されたスマートカードのチャージ金額自動更新システム。
【請求項４】
前記ユーザー端末機は、
前記チャージ残高が自動チャージ基準金額未満に変更される場合、前記自動チャージ要請ＳＭＳを生成し、前記自動チャージ承認内訳ＳＭＳに基づいて、前記スマートカードに格納されたチャージ金額に自動チャージ内訳を加算してモバイルチャージ完了情報を更新させるＶＭ(Virtual  Machine)をさらに含むことを特徴とする、請求項１に記載の携帯電話に内蔵されたスマートカードのチャージ金額自動更新システム。
【請求項５】
前記金融サーバーは、
前記チャージ前払金の入金要請情報に含まれたチャージ金額を読み出して前記ユーザー情報に対応するようにチャージ前払金決済情報を生成し、前記チャージ前払金決済情報に基づくチャージ前払金を第２通信モジュールを介して前記自動チャージサーバーへ送信するようにし、受信したチャージ申請承認内訳ＳＭＳに基づいて、決済情報ＤＢに既に格納されたチャージ前払金決済情報を更新する決済情報生成モジュールを含むことを特徴とする、請求項１に記載の携帯電話に内蔵されたスマートカードのチャージ金額自動更新システム。
【請求項６】
前記チャージ要請情報は、チャージ金額、自動チャージ金額、自動チャージ基準金額、および月当たりチャージ限度金額を含むことを特徴とする、請求項１に記載の携帯電話に内蔵されたスマートカードのチャージ金額自動更新システム。
【請求項７】
前記モバイルチャージ要請情報は、前記チャージ要請情報、前記端末機識別データ、および前記スマートカード識別情報を含むことを特徴とする、請求項１に記載の携帯電話に内蔵されたスマートカードのチャージ金額自動更新システム。
【請求項８】
携帯電話に内蔵されたスマートカードのチャージ金額自動更新方法において、
ユーザー端末機が、スマートカードに格納されたチャージ残高が自動チャージ基準金額未満に変更されると、自動チャージ要請ＳＭＳを生成する第１過程と、
自動チャージザーバーが、前記自動チャージ要請ＳＭＳを受信してチャージユーザー情報を索引し、生成した自動チャージ承認内訳ＳＭＳを発信する第２過程と、
前記ユーザー端末機が、前記自動チャージ承認内訳ＳＭＳを受信して、スマートカードに既に格納されたモバイルチャージ完了情報更新するとともに生成した自動チャージ完了ＳＭＳを発信し、更新されたモバイルチャージ完了情報をユーザーに提供する第３過程と、
前記自動チャージサーバーが前記自動チャージ完了ＳＭＳを受信して金融サーバーへチャージ前払金の入金要請情報を送信し、前記金融サーバーが、生成したチャージ前払金決済情報に対応するチャージ前払金を自動チャージサーバーへ送信するとともにチャージ前払金決済情報を更新し、自動チャージサーバーが、前記チャージ前払金の入金を確認して、チャージＤＢに既に格納されたチャージ金額から自動チャージ金額を差し引くとともに、既に格納されたチャージユーザー情報を更新する第４過程とを含んでなることを特徴とする、携帯電話に内蔵されたスマートカードのチャージ金額自動更新方法。
【請求項９】
前記第１過程の前に、
前記第１ユーザー端末機が、ユーザーから入力された前記チャージ要請情報に基づいて端末機識別データを生成し、前記チャージ要請情報に含まれたチャージ金額、自動チャージ金額、自動チャージ基準金額および月当たりチャージ限度金額と、前記スマートカードに既に格納された端末機識別データおよびスマートカード識別情報を含むモバイルチャージ要請情報を生成する第５過程と、
前記金融サーバーが、前記モバイルチャージ要請情報に含まれた端末機識別データを読み出してユーザー情報を生成する第６過程と、
前記自動チャージサーバーが、前記モバイルチャージ要請情報に含まれた端末機識別データおよびスマートカード識別情報を読み出してチャージユーザー情報を生成し、チャージ金額、自動チャージ金額、自動チャージ基準金額および月当たりチャージ限度金額を読み出してチャージ前払金の入金要請情報を生成する第７過程とを含むことを特徴とする、請求項８に携帯電話に内蔵されたスマートカードのチャージ金額自動更新方法。
【請求項１０】
前記第７過程と第１過程との間に、
前記金融サーバーが前記チャージ前払金の入金要請情報に基づいて前記ユーザーのチャージ前払金決済情報を生成して前記自動チャージサーバーへチャージ前払金を送金する第８過程と、
前記自動チャージサーバーが、前記チャージ前払金の入金を確認して、前記チャージ金額との対応状態に応じてチャージＤＢに既に格納されたチャージユーザー情報を更新するとともに、チャージ申請承認内訳ＳＭＳを生成する第９過程と、
前記金融サーバーが、前記チャージ申請承認内訳ＳＭＳを受信して、決済情報ＤＢに既に格納されたチャージ前払金決済情報を更新し、前記チャージ申請承認内訳ＳＭＳを受信してモバイルチャージ完了情報を生成する第１０過程とを含むことを特徴とする、携帯電話に内蔵されたスマートカードのチャージ金額自動更新方法。
【請求項１１】
携帯電話に内蔵されたスマートカードのチャージ金額自動更新方法において、
ユーザー端末機が、スマートカードに格納されたチャージ残高が自動チャージ基準金額未満に変更されると、自動チャージ要請ＳＭＳを生成して発信する第１１過程と、
自動チャージサーバーが、前記自動チャージ要請ＳＭＳを受信してチャージユーザー情報を索引し、生成した実時間決済承認要請情報を送信する第１２過程と、
金融サーバーが前記実時間決済承認要請情報を受信して生成したチャージ前払金決済情報に符合するチャージ前払金を自動チャージサーバーへ送金し、前記自動チャージサーバーが前記チャージ前払金の入金を確認して生成した自動チャージ承認内訳ＳＭＳを前記ユーザー端末機へ発信する第１３過程と、
前記ユーザー端末機が、受信した前記自動チャージ承認内訳ＳＭＳに基づいて、前記スマートカードに既に格納されたモバイルチャージ完了情報を更新するとともに生成した自動チャージ完了ＳＭＳを発信し、更新されたモバイルチャージ完了情報をユーザーに提供する第１４過程とを含んでなることを特徴とする、携帯電話に内蔵されたスマートカードのチャージ金額自動更新方法。
【請求項１２】
前記第１４過程の後、
前記自動チャージサーバーが、前記自動チャージ完了ＳＭＳを前記金融サーバーへ発信するとともに、既に格納されたチャージユーザー情報を更新し、前記金融サーバーが、前記自動チャージ完了ＳＭＳに基づいて前記チャージ前払金決済情報を更新する第１５過程をさらに含むことを特徴とする、請求項１１に記載の携帯電話に内蔵されたスマートカードのチャージ金額自動更新方法。
【発明の詳細な説明】
【技術分野】
【０００１】
本発明は、携帯電話に内蔵されたスマートカードのチャージ金額自動更新システムおよびその方法に係り、さらに詳しくは、携帯電話に内蔵されたスマートカード内のチャージ残高が基準金額未満に変更されると、スマートカード内のチャージ金額に所定の自動チャージ金額を加算して自動更新させる、携帯電話に内蔵されたスマートカードのチャージ金額自動更新システムおよびその方法に関する。
【背景技術】
【０００２】
スマートカードは、ＩＣ(Integrated  Circuit)記憶素子を装着して大容量の情報を格納することが可能な電子式クレジットカードであって、メモリ型スマートカードとマイクロプロセッサ内蔵スマートカードに区分される。
【０００３】
メモリ型スマートカードは、マイクロプロセッサが内蔵されていないスマートカードであって、公衆電話向けカードや物品購入券などのように有価証券として取り扱われる分野に主に使用するメモリの他に保安装置が含まれた形態と、医療保険証のように純粋データ保管用であってメモリのみが内蔵された形態を有する。
【０００４】
マイクロプロセッサ内蔵スマートカードは、マイクロプロセッサとメモリを内蔵して判断、演算およびデータ保護などの機能を行うことが可能なカードであって、マイクロプロセッサ、メモリ、入出力プロトコルおよび応用プロトコルを内蔵して両方向性の情報伝達を支援するカードである。
【０００５】
一般に移動通信端末機に多用されているマイクロプロセッサ内蔵スマートカードは、内蔵されたＵＳＩＭ(Universal  Subscriber  Identity  Module)にスマートカード識別情報とチャージ金額情報を格納してユーザーの物品購買または交通料金決済時の支払手段の役割を果たす。
【０００６】
このようなスマートカードは、クレジットカードで代替できるが、発給基準が複雑なので、青少年を含む学生が利用するには難しさがあり、発給されたクレジットカードの紛失の際に莫大な被害をもたらすため、多くのユーザーがチャージ方式のスマートカードを好んでいる。
【０００７】
ところが、通用されているスマートカードは、チャージ残高が一定の金額を維持するようにチャージしなければならないが、このようなチャージ過程は、ユーザーが現金を所持した状態でチャージ手段設置場所を直接訪問してチャージし、あるいはコンピュータなどの記録媒体を介してオンライン上でユーザー確認過程を経て金融社によるチャージ決済を行わなければならないという不便さをもたらす。
【発明の概要】
【発明が解決しようとする課題】
【０００８】
そこで、本発明は、上述した問題点を解消するためのもので、その目的とするところは、携帯電話に内蔵されたスマートカード内のチャージ金額が自動チャージ基準金額未満に変更されると、自動チャージサーバーに既に決済されたチャージ残高から所定の自動チャージ金額を差し引くと同時に、ＳＭＳ発送を介して、スマートカード内のチャージ残高に自動チャージ金額を加算してチャージ残高を更新させることにより、スマートカードのチャージのためのユーザーの不便さを最小化する、携帯電話に内蔵されたスマートカードのチャージ金額自動更新システムおよびその方法を提供することにある。
【課題を解決するための手段】
【０００９】
上記目的を達成するために、本発明に係る携帯電話に内蔵されたスマートカードのチャージ金額自動更新システムは、ユーザーから入力されるチャージ要請情報に基づいて端末機識別データを生成し、チャージ要請情報、端末機識別データ、および既定のスマートカード識別情報を含むモバイルチャージ要請情報を生成し、チャージ申請承認内訳ＳＭＳを受信してモバイルチャージ完了情報を生成するユーザー端末機と、端末機識別データを読み出してユーザー情報を生成し、ユーザーのチャージ前払金決済情報を生成してチャージ前払金を送金し、チャージ申請承認内訳ＳＭＳを受信してチャージ前払金決済情報を更新する金融サーバーと、端末機識別データおよびスマートカード識別情報を読み出してチャージユーザー情報を生成し、チャージ要請情報を読み出してチャージ前払金の入金要請情報を生成し、チャージ前払金の入金を確認して、チャージ前払金の入金要請情報に含まれたチャージ金額との対応状態に応じてチャージユーザー情報を更新するとともにチャージ申請承認内訳ＳＭＳを生成する自動チャージサーバーとを含んでなり、ユーザー端末機は、スマートカード内に格納されたチャージ残高が、チャージ要請情報に含まれた自動チャージ基準金額未満に変更されると、自動チャージ要請ＳＭＳを生成し、自動チャージ承認内訳ＳＭＳを受信してモバイルチャージ完了情報を更新し、前記自動チャージサーバーは、前記自動チャージ要請ＳＭＳを受信して、前記モバイルチャージ要請情報に含まれたチャージ金額から自動チャージ金額を差し引くとともに前記チャージユーザー情報を更新し、自動チャージ承認内訳ＳＭＳを生成することを特徴とする。
【００１０】
また、携帯電話に内蔵されたスマートカードのチャージ金額自動更新システムを基盤とする自動更新方法は、ユーザー端末機が、スマートカードに格納されたチャージ残高が自動チャージ基準金額未満に変更されると、自動チャージ要請ＳＭＳを生成する第１過程と、自動チャージザーバーが、自動チャージ要請ＳＭＳを受信してチャージユーザー情報を索引し、生成した自動チャージ承認内訳ＳＭＳを発信する第２過程と、ユーザー端末機が自動チャージ承認内訳ＳＭＳを受信して、スマートカードに既に格納されたモバイルチャージ完了情報を更新するとともに生成した自動チャージ完了ＳＭＳを発信し、更新されたモバイルチャージ完了情報をユーザーに提供する第３過程と、自動チャージサーバーが自動チャージ完了ＳＭＳを受信して金融サーバーへチャージ前払金の入金要請情報を送信し、金融サーバーが、生成したチャージ前払金決済情報に対応するチャージ前払金を自動チャージサーバーへ送信するとともにチャージ前払金決済情報を更新し、自動チャージサーバーが、チャージ前払金の入金を確認して、チャージＤＢに既に格納されたチャージ金額から自動チャージ金額を差し引くとともに、既に格納されたチャージユーザー情報を更新する第４過程とを含んでなる。
【００１１】
また、好ましくは、携帯電話に内蔵されたスマートカードのチャージ金額自動更新システムを基盤とする自動更新方法は、ユーザー端末機が、スマートカードに格納されたチャージ残高が自動チャージ基準金額未満に変更されると、自動チャージ要請ＳＭＳを生成して発信する第１１過程と、自動チャージサーバーが、自動チャージ要請ＳＭＳを受信してチャージユーザー情報を索引し、生成した実時間決済承認要請情報を送信する第１２過程と、金融サーバーが、実時間決済承認要請情報を受信して、生成したチャージ前払金決済情報に符合するチャージ前払金を自動チャージサーバーへ送金し、自動チャージサーバーが、チャージ前払金の入金を確認し、生成した自動チャージ承認内訳ＳＭＳをユーザー端末機へ発信する第１３過程と、ユーザー端末機が、受信した自動チャージ承認内訳ＳＭＳＭに基づいて、スマートカードに既に格納されたモバイルチャージ完了情報を更新するとともに生成した自動チャージ完了ＳＭＳを発信し、更新されたモバイルチャージ完了情報をユーザーに提供する第１４過程とを含んでなる。
【発明の効果】
【００１２】
上述したような本発明によれば、携帯電話に内蔵されたスマートカード内のチャージ残高が自動チャージ基準金額未満に変更されると、自動チャージサーバーに既に決済されたチャージ残高から所定の自動チャージ金額を差し引くと同時に、ＳＭＳ発送を介して、スマートカード内のチャージ残高に自動チャージ金額を加算してチャージ残高を更新させることにより、ユーザーがスマートカードのチャージのために現金を所持した状態でチャージ手段設置場所へ移動することなくスマートカード内のチャージ残高を自動更新させる効果がある。
【発明を実施するための形態】
【００１３】
本発明の具体的な特徴および利点は、添付図面に基づいた以降の詳細な説明からさらに明白になるであろう。これに先立ち、本明細書および請求の範囲に使用された用語および単語は、発明者が自分の発明を最善の方法で説明するために用語の概念を適切に定義することができるという原則に基づき、本発明の技術的思想に符合する意味と概念で解釈されるべきである。なお、本発明に関連した公知の機能およびその構成については、その具体的な説明が本発明の要旨を乱すおそれがあると判断される場合には、その具体的な説明を省略したことに留意すべきである。
【００１４】
図１は本発明の第１実施例に係る携帯電話に内蔵されたスマートカードのチャージ金額自動更新システムＳを示す構成図、図２は本発明の第１実施例に係る携帯電話に内蔵されたスマートカードのチャージ金額自動更新システムのユーザー端末機１００の構成要素間の関係を示す図、図３は本発明の第１実施例に係る携帯電話に内蔵されたスマートカードのチャージ金額自動更新システムの金融サーバー２００の構成要素間の関係を示す図、図４は本発明の第１実施例に係る携帯電話に内蔵されたスマートカードのチャージ金額自動更新システムの自動チャージサーバー３００の構成要素間の関係を示す図である。
【００１５】
本発明の第１実施例に係る携帯電話に内蔵されたスマートカードのチャージ金額自動更新システムＳは、図１に示すように、ユーザー端末機１００、金融サーバー２００、自動チャージサーバー３００、および管理サーバー４００を含んでなる。
【００１６】
以下ではその言及を省略したが、本発明に係るユーザー端末機１００、金融サーバー２００、自動チャージサーバー３００および管理サーバー４００間の情報転送は情報通信網を介して行われるものと想定する。
【００１７】
ユーザー端末機１００は、ユーザー１０からのチャージ要請情報に基づいて端末機識別データを生成し、チャージ要請情報に含まれたチャージ金額、自動チャージ金額、自動チャージ基準金額および月当たりチャージ限度金額、端末機識別データ並びに既定のスマートカード識別情報を含むモバイルチャージ要請情報を生成し、受信したチャージ申請承認内訳ＳＭＳ(Shot  Message  Service)に基づいてモバイルチャージ完了情報を生成してユーザー１０に提供するが、チャージ残高が自動チャージ基準金額未満に変更されると、自動チャージ要請ＳＭＳを生成し、受信した自動チャージ承認内訳ＳＭＳに基づいて前記モバイルチャージ完了情報を更新してユーザー１０に提供する機能を行うところ、入力モジュール１１０、スマートカード１２０、第１通信モジュール１３０および出力モジュール１４０を含んでなる。
【００１８】
具体的に図２を参照して考察すると、入力モジュール１１０は、ユーザー１０の操作によるチャージ要請情報を受け取り、スマートカード１２０は、チャージ要請情報に基づいて端末機識別データを生成し、チャージ要請情報に含まれたチャージ金額、自動チャージ金額、自動チャージ基準金額および月当たりチャージ限度金額、前記端末機識別データ並びにスマートカード識別番号を含むモバイルチャージ要請情報を生成し、チャージ申請承認内訳ＳＭＳに基づいて、モバイルチャージ要請情報に対するチャージ完了を意味するモバイルチャージ完了情報を生成するとともにユーザー１０に提供するが、チャージ残高が自動チャージ基準金額未満に変更されると、自動チャージ要請ＳＭＳを生成し、自動チャージ承認内訳ＳＭＳに基づいて、既に格納されたチャージ残高に自動チャージ内訳を加算してモバイルチャージ完了情報を更新させる。
【００１９】
また、スマートカード１２０は、スマートカード識別番号、端末機識別データ、チャージ残高、自動チャージ基準金額情報およびモバイルチャージ完了情報を格納する。
【００２０】
ここで、スマートカード１２０は、ユーザー端末機１００に挿入されるＵＳＩＭ(Universal  Subscriber  Identity  Module)を内蔵したものであって、携帯電話およびＰＤＡを含む、移動通信が可能な端末機のいずれか一つに挿入される。
【００２１】
第１通信モジュール１３０は、モバイルチャージ要請情報を金融サーバー２００に発信し、自動チャージサーバー３００からチャージ申請承認内訳ＳＭＳおよび自動チャージ承認内訳ＳＭＳを受信し、自動チャージ要請ＳＭＳおよび自動チャージ完了ＳＭＳを自動チャージサーバー３００に発信する。
【００２２】
出力モジュール１４０は、モバイルチャージ要請情報、チャージ申請承認内訳ＳＭＳ、モバイルチャージ完了情報、自動チャージ要請ＳＭＳ、自動チャージ承認内訳ＳＭＳおよび自動チャージ完了ＳＭＳを出力してユーザーに提供する。
【００２３】
金融サーバー２００は、ユーザー端末機１００から受信したモバイルチャージ要請情報に含まれた端末機識別データを読み出してユーザー情報を生成し、チャージ前払金の入金要請情報に基づくユーザーのチャージ前払金決済情報を生成してチャージ前払金を送金し、受信したチャージ申請承認内訳ＳＭＳに基づいて前記チャージ前払金決済情報を更新する機能を行うところ、第２通信モジュール２１０、決済情報ＤＢ２２０、識別データ読み出しモジュール２３０および決済情報生成モジュール２４０を含んでなる。
【００２４】
ここで、金融サーバー２００は、銀行およびクレジットカード社のいずれか一つを含み、チャージ前払金の送金については自動チャージサーバー３００との約定によって前決済精算が行われるが、この前決済精算に限定されず、金融サーバー２００と自動チャージサーバー３００間の後決済精算もできるように構成される。
【００２５】
具体的に図３を参照して考察すると、第２通信モジュール２１０は、前記ユーザー端末機１００からモバイルチャージ要請情報を受信して自動チャージサーバー３００へモバイルチャージ要請情報を送信し、自動チャージサーバー３００にチャージ前払金を送金し、自動チャージサーバー３００からチャージ前払金の入金要請情報およびチャージ申請承認内訳ＳＭＳを受信する。
【００２６】
決済情報ＤＢ２２０は、端末機識別データ、ユーザー情報およびチャージ前払金決済情報を格納し、識別データ読み出しモジュール２３０は、モバイルチャージ要請情報に含まれた端末機識別データを読み出してユーザー情報を生成する。
【００２７】
決済情報生成モジュール２４０は、チャージ前払金の入金要請情報に含まれたチャージ金額を読み出して、ユーザー情報に対応するようにチャージ前払金決済情報を生成し、チャージ前払金決済情報によるチャージ前払金を第２通信モジュール２１０を介して自動チャージサーバー３００へ送信するようにし、受信したチャージ申請承認内訳ＳＭＳに基づいて、決済情報ＤＢ２２０に既に格納されたチャージ前払金決済情報を更新する。
【００２８】
自動チャージサーバー３００は、金融サーバー２００から受信したモバイルチャージ要請情報に含まれた端末機識別データおよびスマートカード識別情報を読み出してチャージユーザー情報を生成するとともに、チャージ金額、自動チャージ金額、自動チャージ基準金額および月当たりチャージ限度金額を読み出してチャージ前払金の入金要請情報を生成し、チャージ前払金の入金を確認してチャージ金額との対応状態に応じて前記チャージユーザー情報を更新するとともにチャージ申請承認内訳ＳＭＳを生成するが、自動チャージ要請ＳＭＳを受信すると、チャージユーザー情報を索引してチャージ金額から自動チャージ金額を差し引くとともに前記チャージユーザー情報を更新し、自動チャージ承認内訳ＳＭＳを生成する機能を行うところ、第３通信モジュール３１０、チャージＤＢ３２０およびチャージユーザー情報生成モジュール３３０を含んでなる。
【００２９】
具体的に、図４を参照して考察すると、第３通信モジュール３１０は、モバイルチャージ要請情報を受信し、チャージ前払金の入金を確認して前記金融サーバー２００へチャージ前払金の入金要請情報およびチャージ申請承認内訳ＳＭＳを発信し、ユーザー端末機１００へチャージ申請承認内訳ＳＭＳおよび自動チャージ承認内訳ＳＭＳを発信し、自動チャージ要請ＳＭＳを受信する。
【００３０】
チャージＤＢ３２０は、モバイルチャージ要請情報、チャージユーザー情報、チャージ前払金の入金要請情報、チャージ前払金、チャージ申請承認内訳ＳＭＳ、自動チャージ要請ＳＭＳおよび自動チャージ承認内訳ＳＭＳを格納する。
【００３１】
チャージユーザー情報生成モジュール３３０は、モバイルチャージ要請情報に含まれた端末機識別データおよびスマートカード識別情報を読み出してチャージユーザー情報を生成するとともに、チャージ金額、自動チャージ金額、自動チャージ基準金額および月当たりチャージ限度金額を読み出してチャージ前払金の入金要請情報を生成し、チャージ前払金を受信してチャージ金額との対応状態に応じて、チャージＤＢ３２０に既に格納されたチャージユーザー情報を更新するとともにチャージ申請承認内訳ＳＭＳを生成するが、自動チャージ要請ＳＭＳを受信すると、チャージユーザー情報を索引してチャージ金額から自動チャージ金額を差し引くとともに前記チャージユーザー情報を更新し、自動チャージによる自動チャージ承認内訳ＳＭＳを第３通信モジュール３１０を介してユーザー端末機１００へ発信するようにする。
【００３２】
管理サーバー４００は、自動チャージサーバー３００から、チャージＤＢ３２０に格納されたモバイルチャージ要請情報、チャージユーザー情報、チャージ前払金の入金要請情報、チャージ前払金、チャージ申請承認内訳ＳＭＳ、自動チャージ要請ＳＭＳおよび自動チャージ承認内訳ＳＭＳを含むチャージ内訳情報を受信して格納する。
【００３３】
以下に図５〜図８を参照しながら、上述した本発明の第１実施例に係る携帯電話に内蔵されたスマートカードのチャージ金額自動更新システム（Ｓ）を用いたチャージ金額自動更新方法について説明する。
【００３４】
まず、ユーザー端末機１００が自動チャージサービスを使用するためにそれに先立って行われる自動チャージ承認過程について考察する。
【００３５】
図５および図８を参照すると、ユーザー端末機１００が、ユーザー１０から入力されたチャージ要請情報に基づいて端末機識別データを生成し（Ｓ１０１）、チャージ要請情報に含まれたチャージ金額、自動チャージ金額、自動チャージ基準金額および月当たりチャージ限度金額、スマートカード１２０に既に格納された端末機識別データ並びにスマートカード識別情報を含むモバイルチャージ要請情報を生成し（Ｓ１０２）、金融サーバー２００へ送信する（Ｓ１０３）。
【００３６】
続いて、金融サーバー２００が、ユーザー端末機１００から受信したモバイルチャージ要請情報に含まれた端末機識別データを読み出し（Ｓ２０１）、ユーザー情報を生成する（Ｓ２０２）とともに自動チャージサーバー３００へ送信する（Ｓ２０３）。
【００３７】
続いて、自動チャージサーバー３００が、金融サーバー２００から受信したモバイルチャージ要請情報に含まれた端末機識別データおよびスマートカード識別情報を読み出してチャージユーザー情報を生成し（Ｓ３０１）、チャージ金額、自動チャージ金額、自動チャージ基準金額および月当たりチャージ限度金額を読み出して生成したチャージ前払金の入金要請情報を金融サーバー２００へ送信する（Ｓ３０２）。
【００３８】
また、図６および図８に示すように、金融サーバー２００が、自動チャージサーバー３００から受信したチャージ前払金の入金要請情報に基づいてユーザー１０のチャージ前払金決済情報を生成し（Ｓ２０４）、自動チャージサーバー３００へチャージ前払金を送金する（Ｓ２０５）。
【００３９】
次いで、自動チャージサーバー３００が、チャージ前払金の入金を確認し、チャージ金額との対応状態に応じて、チャージＤＢ３２０に既に格納されたチャージユーザー情報を更新する（Ｓ３０３）とともにチャージ申請承認内訳ＳＭＳを生成し（Ｓ３０４）、チャージ申請承認内訳ＳＭＳをユーザー端末機１００および金融サーバー２００へ発信する（Ｓ３０５）。
【００４０】
その次、金融サーバー２００が、自動チャージサーバー３００から受信したチャージ申請承認内訳ＳＭＳに基づいて、決済情報ＤＢ２２０に既に格納されたチャージ前払金決済情報を更新し（Ｓ２０６）、ユーザー端末機１００が、自動チャージサーバー３００から受信したチャージ申請承認内訳ＳＭＳに基づいて、モバイルチャージ完了情報を生成する（Ｓ１０４）とともにユーザー１０に提供する（Ｓ１０５）。
【００４１】
一方、上述したように、ユーザー端末機１００が自動チャージサービスの承認を受け、すなわち自動チャージサーバー３００からチャージ申請承認内訳ＳＭＳを受信した後、ユーザー端末機１００が自動チャージサービスを提供される過程について考察すると、次のとおりである。
【００４２】
図７および図８に示すように、ユーザー端末機１００が、スマートカード１２０に格納されたチャージ残高が自動チャージ基準金額未満に変更されると（Ｓ１０６）、自動チャージ要請ＳＭＳを生成して（Ｓ１０７）自動チャージサーバー３００へ発信する（Ｓ１０８）。
【００４３】
その後、自動チャージサーバー３００がユーザー端末機１００から自動チャージ要請ＳＭＳを受信してチャージユーザー情報を索引し（Ｓ３０６）、自動チャージ承認内訳ＳＭＳを生成してユーザー端末機１００へ発信する（Ｓ３０７、Ｓ３０８）。
【００４４】
次いで、ユーザー端末機１００が、受信した自動チャージ承認内訳ＳＭＳに基づいて、スマートカード１２０に既に格納されたモバイルチャージ完了情報を更新するとともに、自動チャージ完了ＳＭＳを生成して自動チャージサーバー３００へ発信し（Ｓ１０９〜Ｓ１１１）、更新されたモバイルチャージ完了情報をユーザー１０に提供する（Ｓ１１２）。
【００４５】
続いて、自動チャージサーバー３００が自動チャージ完了ＳＭＳを受信して金融サーバー２００へチャージ前払金の入金要請情報を送信し（Ｓ３０９）、受信した金融サーバー２００が、生成したチャージ前払金決済情報に対応するチャージ前払金を自動チャージサーバー３００へ送金するとともにチャージ前払金決済情報を更新し（Ｓ２０７〜Ｓ２０９）、自動チャージサーバー３００が、チャージ前払金の入金を確認して、チャージＤＢ３２０に既に格納されたチャージ金額から自動チャージ金額を差し引くとともに、既に格納されたチャージユーザー情報を更新する（Ｓ３１０）。
【００４６】
以下、本発明の第２実施例に係る携帯電話に内蔵されたスマートカードのチャージ金額自動更新システムについて考察する。
【００４７】
第２実施例に係る携帯電話に内蔵されたスマートカードのチャージ金額自動更新システムは、前述した第１実施例を基盤とするが、図９に示すように、ユーザー端末機１００に備えられるスマートカード１２０の機能が第１実施例とは異なる。  
すなわち、第１実施例では、スマートカード１２０がモバイルチャージ要請情報を生成し、チャージ申請承認内訳ＳＭＳに基づいてモバイルチャージ完了情報を生成するとともにユーザーに提供するが、チャージ残高が自動チャージ基準金額未満に変更されると、自動チャージ要請ＳＭＳを生成し、自動チャージ承認内訳ＳＭＳに基づいて、スマートカード１２０に格納されたチャージ残高に自動チャージ内訳を加算してモバイルチャージ完了情報を更新させる機能を行うように構成される。
【００４８】
これに対し、第２実施例では、スマートカード１２に接続され、上述した第１実施例のスマートカード１２０が行う一連の機能を制御するＶＭ(Virtual  Machine)１５０をさらに含んで構成される。
【００４９】
具体的に図１０を参照して考察すると、ユーザー端末機１００は、入力モジュール１１０、スマートカード１２０、通信モジュール１３０、出力モジュール１４０およびＶＭ１５０を含んで構成される。
【００５０】
スマートカード１２０は、スマートカード識別番号、端末機識別データ、チャージ残高、自動チャージ基準金額情報、およびモバイルチャージ完了情報を格納する。
【００５１】
また、ＶＭ(Virtual  Machine)１５０は、チャージ要請情報に基づいて端末機識別データを生成するとともに、チャージ要請情報に含まれたチャージ金額、自動チャージ金額、自動チャージ基準金額および月当たり限度金額、前記端末機識別データ並びにスマートカード識別番号を含むモバイルチャージ要請情報を生成し、チャージ申請承認内訳ＳＭＳに基づいて、モバイルチャージ要請情報に対するチャージ完了を意味するモバイルチャージ完了情報を生成するとともにユーザーに提供するが、チャージ残高が自動チャージ基準金額未満に変更されると、自動チャージ要請ＳＭＳを生成し、自動チャージ承認内訳ＳＭＳに基づいて、スマートカード１２０に格納されたチャージ残高に自動チャージ内訳を加算してモバイルチャージ完了情報を更新させる。
【００５２】
そして、入力モジュール１１０、第１通信モジュール１３０および出力モジュール１４０は前述した本発明の第１実施例と同様に構成されて作動し、金融サーバー２００、自動チャージサーバー３００および管理サーバー４００も第１実施例と同一である。
【００５３】
以下、本発明の第３実施例に係る携帯電話に内蔵されたスマートカードのチャージ金額自動更新方法について考察する。
【００５４】
第３実施例に係る携帯電話に内蔵されたスマートカードのチャージ金額自動更新方法は、前述した第１実施例を基盤とするが、図１１に示すように、金融サーバー２００および自動チャージサーバー３００の機能が第１実施例とは異なる。
【００５５】
すなわち、第１実施例は、ユーザー端末機１００の自動チャージが完了した後、自動チャージサーバー３００が金融サーバー２００からチャージによる前払金を入金され、チャージユーザー情報を更新する構成である。
【００５６】
これに対し、第３実施例は、自動チャージサーバー３００が、ユーザー端末機１００から自動チャージ要請ＳＭＳを受信すると同時に、実時間決済承認要請情報を金融サーバー２００へ送信してチャージ前払金を入金された後、ユーザー端末機１００の自動チャージが完了することを確認した後、チャージユーザー情報を更新する構成である。
【００５７】
以下ではその言及を省略したが、図１１に示すように、Ｓ１０１〜Ｓ１０５段階、Ｓ２０１〜Ｓ２０６段階およびＳ３０１〜Ｓ３０５段階は、第１実施例に係る携帯電話に内蔵されたスマートカードのチャージ金額自動更新方法と同一に構成されるものと想定する。
【００５８】
具体的に、図１１を参照して考察すると、ユーザー端末機１００が、スマートカード１２０に格納されたチャージ残高が自動チャージ基準金額未満に変更されると（Ｓ１０６）、自動チャージ要請ＳＭＳを生成して（Ｓ１０７）自動チャージサーバー３００へ発信する（Ｓ１０８）。
【００５９】
続いて、自動チャージサーバー３００が、ユーザー端末機１００から自動チャージ要請ＳＭＳを受信してチャージユーザー情報を索引し（Ｓ３１１）、生成した実時間決済承認要請情報を金融サーバーへ送信する（Ｓ３１２）。
【００６０】
その後、金融サーバー２００が、実時間決済承認要請情報を受信し、生成したチャージ前払金決済情報に符合するチャージ前払金を自動チャージサーバー３００へ送金し（Ｓ２１０、Ｓ２１１）、自動チャージサーバー３００は、チャージ前払金の入金を確認して生成した自動チャージ承認内訳ＳＭＳをユーザー端末機１００へ発信する（Ｓ３１３、Ｓ３１４）。
【００６１】
次いで、ユーザー端末機１００が、受信した自動チャージ承認内訳ＳＭＳに基づいて、スマートカード１２０に既に格納されたモバイルチャージ完了情報を更新するとともに、自動チャージ完了ＳＭＳを生成して自動チャージサーバーへ発信し（Ｓ１０９〜Ｓ１１１）、更新されたモバイルチャージ完了情報をユーザー１０に提供する（Ｓ１１２）。
【００６２】
続いて、自動チャージサーバー３００が、受信した自動チャージ完了ＳＭＳを金融サーバー２００へ発信するとともに、既に格納されたチャージユーザー情報を更新し（Ｓ３１５、Ｓ３１６）、金融サーバー２００は、受信した自動チャージ完了ＳＭＳに基づいて前記チャージ前払金決済情報を更新する（Ｓ２１２）。
【００６３】
以上、本発明の技術的思想を例示するための好適な実施例について説明および図示したが、本発明は、このように図示および説明された構成および作用に限定されるものではない。当業者であれば、技術的思想の範疇を逸脱することなく、本発明に対して様々な変更および修正を加え得ることが理解できるだろう。したがって、それらの適切な変更および修正とその均等物についても本発明の範囲に属するものと看做すべきである。
【図面の簡単な説明】
【００６４】
【図１】本発明の第１実施例に係る携帯電話に内蔵されたスマートカードのチャージ金額自動更新システムを示す構成図である。
【図２】本発明の第１実施例に係る携帯電話に内蔵されたスマートカードのチャージ金額自動更新システムのユーザー端末機の構成要素間の関係を示す図である。
【図３】本発明の第１実施例に係る携帯電話に内蔵されたスマートカードのチャージ金額自動更新システムの金融サーバーの構成要素間の関係を示す図である。
【図４】本発明の第１実施例に係る携帯電話に内蔵されたスマートカードのチャージ金額自動更新システムの自動チャージサーバーの構成要素間の関係を示す図である。
【図５】本発明の第１実施例に係る携帯電話に内蔵されたスマートカードのチャージ金額自動更新方法の第５過程〜第７過程を示す順序図である。
【図６】本発明の第１実施例に係る携帯電話に内蔵されたスマートカードのチャージ金額自動更新方法の第８過程〜第１０過程を示す順序図である。
【図７】本発明の第１実施例に係る携帯電話に内蔵されたスマートカードのチャージ金額自動更新方法の第１過程〜第４過程を示す順序図である。
【図８】本発明の携帯電話に内蔵されたスマートカードのチャージ金額自動更新方法による構成要素間の関係を示す流れ図である。
【図９】本発明の第２実施例に係る携帯電話に内蔵されたスマートカードのチャージ金額自動更新システムを示す構成図である。
【図１０】本発明の第２実施例に係る携帯電話に内蔵されたスマートカードのチャージ金額自動更新システムのユーザー端末機の構成要素間の関係を示す図である。
【図１１】本発明の第３実施例に係る携帯電話に内蔵されたスマートカードのチャージ金額自動更新方法を示す図である。
【符号の説明】
【００６５】
Ｓ      携帯電話に内蔵されたスマートカードのチャージ金額自動更新システム
１０    ユーザー
１００  ユーザー端末機
１１０  入力モジュール
１２０  スマートカード
１３０  第１通信モジュール
１４０  出力モジュール
１５０  ＶＭ(Virtual  Machine)
２００  金融サーバー
２１０  第２通信モジュール
２２０  決済情報ＤＢ
２３０  識別データ読み出しモジュール
２４０  決済情報生成モジュール
３００  自動チャージサーバー
３１０  第３通信モジュール
３２０  チャージＤＢ
３３０  チャージユーザー情報生成モジュール
４００  管理サーバー
【図１】
2010027055.tif 000003
【図２】
2010027055.tif 000004
【図３】
2010027055.tif 000005
【図４】
2010027055.tif 000006
【図５】
2010027055.tif 000007
【図６】
2010027055.tif 000008
【図７】
2010027055.tif 000009
【図８】
2010027055.tif 000010
【図９】
2010027055.tif 000011
【図１０】
2010027055.tif 000012
【図１１】
2010027055.tif 000013